(57)【要約】【課題】床版ユニットを効率良くかつ安全に建築物の床施工階へ搬送する。【解決手段】鉄筋トラス１１の両端部に端部材が取り付けられた鉄筋トラス付きデッキプレート１を複数連ねて組み立てた床版ユニット３を、吊り具５を有する吊上げ装置により吊り上げて地上から建築物の床施工階へ搬送して床を施工する。吊り具５は、少なくとも２個の吊り治具５０ａ，５０ｂよりなる。各吊り治具５０ａ，５０ｂは、床版ユニット３の幅に対応する長さを有する支持フレーム５１と、支持フレーム５１に設けられ吊上げ装置のトラバーサーより垂下させたワイヤーの下端に連結が可能な連結部５６と、支持フレーム５１に下方へ突出するように設けられ床板ユニット３の各鉄筋トラス１１の上端筋１３にそれぞれ側方より係合させる複数個の鉤形の係合片６とを備える。【選択図】図８
2018178526.tif 000002
【特許請求の範囲】
【請求項１】
床版ユニットを地上から建築物の床施工階へ搬送して床を施工する方法であって、
地上において鉄筋トラスの両端部に端部材が取り付けられた鉄筋トラス付きデッキプレートを複数連ねて組み立てる工程と、
少なくとも前記床版ユニットの中央線に対して線対称の位置であって前記端部材より内側の位置に床版ユニットの幅に対応する長さの吊り治具をそれぞれ位置させ、各吊り治具に下方へ突出するように設けられた複数個の鉤形の係合片を各鉄筋トラスの鉄筋と接触しない箇所で上方から降下させた後、側方より前記鉄筋に係合させる工程と、
各鉄筋トラスの鉄筋に前記の各係合片を係合させた状態で各吊り治具を同一高さに吊り上げて床版ユニットを水平姿勢で建築物の床施工階へ搬送する工程と、
前記床版ユニットを床施工階に降ろして梁間に設置した後、前記の各係合片と各鉄筋トラスの鉄筋との係合を解くことにより各吊り治具を床版ユニットより外す工程とを順次実施して床を施工することを特徴とする床施工方法。
【請求項２】
前記鉄筋トラスは、上端筋と下端筋とラチス筋とを含み、前記上端筋に前記吊り治具の係合片を係合させる請求項１に記載の床施工方法。
【請求項３】
鉄筋トラスの両端部に端部材が取り付けられた鉄筋トラス付きデッキプレートを複数連ねて組み立てた床版ユニットを、地上から建築物の床施工階へ搬送して床を施工するのに用いられる吊上げ装置であって、
トラバーサーと、トラバーサーを吊り上げるワイヤーと、トラバーサーに吊持される吊り具とを備え、前記トラバーサーは、同一水平面上に位置させる互いに平行な少なくとも２本の吊枠材と、各吊枠材の長さ方向に沿う複数の決められた位置から垂下させる同一長さの複数本のワイヤーと、各ワイヤーの下端に設けられる連結具とを備え、
前記吊り具は、少なくとも前記床版ユニットの中央線に対して線対称の位置であって前記端部材より内側の位置に配置される少なくとも２個の吊り治具よりなり、各吊り治具は、床版ユニットの幅に対応する長さを有し、前記連結具との連結が可能な連結部と、各鉄筋トラスの鉄筋にそれぞれ係合させる複数個の鉤形の係合片とを備えている床版ユニットの吊上げ装置。
【請求項４】
鉄筋トラスの両端部に端部材が取り付けられた鉄筋トラス付きデッキプレートを複数連ねて組み立てた床版ユニットを、地上から建築物の床施工階へ搬送して床を施工するのに用いられる床版ユニットの吊り具であって、少なくとも２個の吊り治具よりなり、各吊り治具は、前記床版ユニットの幅に対応する長さを有する支持フレームと、前記支持フレームに設けられ吊上げ装置のトラバーサーより垂下させたワイヤーの下端に連結が可能な連結部と、前記支持フレームに下方へ突出するように設けられ前記床版ユニットの各鉄筋トラスの鉄筋にそれぞれ係合させる複数個の鉤形の係合片とを備えてなる床版ユニットの吊り具。
【請求項５】
前記吊り治具の支持フレームは、平鋼、Ｌ形鋼、Ｔ形鋼、角型鋼管のいずれかにより形成されている請求項４に記載の床版ユニットの吊り具。
【請求項６】
前記連結部は、前記支持フレームに上方へ突出するように設けられた接続板の板面に貫通孔が設けられたものである請求項４に記載の床版ユニットの吊り具。
【請求項７】
請求項４〜６のいずれかに記載の床版ユニットの吊り具であって、前記支持フレームに支持される拘束部材をさらに備えており、前記拘束部材は、いずれかの鉄筋トラスの鉄筋と交差する位置まで突出し前記鉄筋と係合片との係合が外れる方向への前記支持フレームの移動を止める脚部を備えてなる床版ユニットの吊り具。
【請求項８】
前記拘束部材は、前記支持フレームに支持される基端部と、前記基端部より二股状に延びて前記鉄筋を両側より挟んだ状態で鉄筋と交差する２本の脚部とを備えたものである請求項７に記載の床版ユニットの吊り具。
【請求項９】
前記拘束部材は、前記支持フレームに支持される頭部と、前記頭部より真っ直ぐに延びて前記鉄筋と交差する１本の脚部とを備えたものである請求項７に記載の床版ユニットの吊り具。
【発明の詳細な説明】
【技術分野】
【０００１】
この発明は、地上で組み立てた床版ユニットを地上から建築物の床施工階へ搬送して床を施工する床施工方法と、その床施工方法を実施するのに用いられる床版ユニットの吊上げ装置および吊り具とに関する。
【背景技術】
【０００２】
従来、鉄骨造の建築物の床を施工するのに、施工すべき建築物の骨組みが完成した後、所定の枚数を梱包した鉄筋トラス付きデッキプレート（以下、「鉄筋トラス付きデッキプレート」または単に「デッキプレート」という。）の複数個を床施工階までクレーンで吊り上げて仮置きし、床の施工位置に敷き込んだ後、作業者が現場でデッキプレートの上に乗ってデッキプレートの端部等を梁に１枚、１枚溶接している。しかし、この種の作業は、「労働安全衛生法」に定められた「高所作業」となるため、作業者の墜落、転落災害を防止するための諸施設や、デッキプレートや作業工具などの飛来、落下を防止するための安全設備をスラブ下方の全域に設置する必要がある。
【０００３】
上記した問題に鑑み、先般、地上の作業場において、複数枚の鉄筋トラス付きデッキプレートを連ねて床版ユニットを組み立てる、という方法（現場では「鉄筋トラス付きデッキプレート大組工法」と呼ばれる。）が提案された。組み立てられた床版ユニットは仮置き場へ運ばれて、図２１に示すように順次積み上げられ、最上位置の床版ユニット３が吊上げ装置１００により吊り上げられて、建築物の床施工階へ運び上げられ、床が施工される（例えば特許文献１参照）。
【０００４】
各床版ユニット３は、図２１および図２２に示されるように、金属製の基板１０の上面に複数の鉄筋トラス１１を一定間隔Ｌで並設してなる複数の鉄筋トラス付きデッキプレート１を、鉄筋トラス１１の長さ方向と直交する方向へ基板１０を連ねて組み立てられる。基板１０上には所定の間隔で複数の吊り材１２が平行に配設され、各吊り材１２の頂部の下面に各鉄筋トラス１１の上端筋１３の上端部が溶接により固着される。なお、以下の説明において、床版ユニット３は、基板１０が連ねられる方向を「幅方向」といい、鉄筋トラス１１が延びる方向を「長さ方向」という。
【０００５】
鉄筋トラス１１は、上端筋１３と、上端筋１３と平行な下端筋１４と、上端筋１３と下端筋１４との間に設けられるラチス筋１５とを含んでいる。鉄筋トラス１１は、両端が端部材１６に支えられてブリッジが構成される。両端の端部材１６は、上下の各端部が鉄筋トラス１１の上端筋１３および下端筋１４に固着される。外向きに屈曲された下端部は鉄骨梁に固着される。
【０００６】
特許文献１に記載の床施工方法は、地上の作業場において床版ユニット３を組み立てる工程と、床版ユニット３の基板１０が連なる方向に沿う両端部の端部材１６より外側に、大組工法専用の吊り具１０１を構成する端板材１０２をそれぞれ位置させて各端板材１０２の上辺部に凹設された複数個の切欠部（図示せず）を各鉄筋トラス１１の上端筋１３に下方より係合させる工程と、各上端筋１３に各切欠部を係合させた状態で各端板材１０２を同一高さに吊り上げて床版ユニット３を水平姿勢で建築物の床施工階へ搬送する工程と、床版ユニット３を床施工階に降ろして梁間に設置した後、各切欠部と各鉄筋トラス１１の上端筋１３との係合を解くことにより各端板材１０２を床版ユニット３より外す工程とを順次実施するものである。
【先行技術文献】
【特許文献】
【０００７】
【特許文献１】特許第６０４２０２１号公報
【発明の概要】
【発明が解決しようとする課題】
【０００８】
上記の床施工方法では、吊り具１０１の各端板材１０２は各鉄筋トラス１１の端部材１６の外側位置において上端筋１３に下方より係合させている。しかし、図２３に示すように、鉄筋トラス１１のラチス筋１５が端部材１６の位置の近傍で上端筋１３に溶接されている場合、ラチス筋１５の端部が端部材１６の外側へ突き出るため、端板材１０２の切欠部を上端筋１３の端部材１６の外側位置に確実に係合させるのが困難になり、床版ユニット３が端板材１０２より脱落するおそれがある。
【０００９】
この発明は、上記の問題に着目してなされたもので、床版ユニットを安定して吊り上げることができ、効率良くかつ安全に建築物の床施工階へ床版ユニットを搬送して床を施工できる床施工方法と、その方法の実施に用いられる床版ユニットの吊上げ装置および吊り具とを提供することを目的とする。
【課題を解決するための手段】
【００１０】
この発明による床施工方法は、床版ユニットを地上から建築物の床施工階へ搬送して床を施工する方法であって、地上において鉄筋トラスの両端部に端部材が取り付けられた鉄筋トラス付きデッキプレートを複数連ねて組み立てる工程と、少なくとも前記床版ユニットの中央線に対して線対称の位置であって前記端部材より内側の位置に床版ユニットの幅に対応する長さの吊り治具をそれぞれ位置させ、各吊り治具に下方へ突出するように設けられた複数個の鉤形の係合片を各鉄筋トラスの鉄筋と接触しない箇所で上方から降下させた後、側方より前記鉄筋に係合させる工程と、各鉄筋トラスの鉄筋に前記の各係合片を係合させた状態で各吊り治具を同一高さに吊り上げて床版ユニットを水平姿勢で建築物の床施工階へ搬送する工程と、前記床版ユニットを床施工階に降ろして梁間に設置した後、前記の各係合片と各鉄筋トラスの鉄筋との係合を解くことにより各吊り治具を床版ユニットより外す工程とを順次実施して床を施工するものである。
【００１１】
ここで、「床版ユニットの中央線」とは、床版ユニットの長さの２分の１の位置を通る仮想線のことである。また、「床版ユニットの長さ」とは、鉄筋トラス付きデッキプレートの鉄筋トラス１１が延びる方向（長さ方向）に沿う寸法を指し、「床版ユニットの幅」とは、鉄筋トラス付きデッキプレートの基板が連ねられる方向（幅方向）に沿う寸法を指す。
【００１２】
この発明の床施工方法によると、少なくとも床版ユニットの中央線に対して線対称の位置であって端部材より内側の位置において、各吊り治具の鉤形の係合片を各鉄筋トラスの鉄筋と接触しない箇所で上方から降下させた後、前記鉄筋に側方より係合させ、各吊り治具を同一高さに吊り上げることで、平面的な床版ユニットの形状を変化させることがなく、床版ユニットを地上から建築物の床施工階へ搬送することができる。この場合に、各吊り治具は各鉄筋トラスの鉄筋に端部材の内側位置において係合させるので、鉄筋に係合片が確実に係合し、床版ユニットが吊り治具より脱落するおそれがない。また、床施工階において各吊り治具を引き下げ、各係合片と各鉄筋トラスの鉄筋との係合を解くことにより、吊り治具を床版ユニットより外すことができる。
【００１３】
好ましい実施態様においては、前記鉄筋トラスは、上端筋と下端筋とラチス筋とを含み、前記上端筋に前記吊り治具の係合片を側方より係合させるが、床版ユニットの製作に用いる鉄筋トラス付きデッキプレートの鉄筋トラスは上記した構成のものに限られるものではない。
【００１４】
この発明による床版ユニットの吊上げ装置は、鉄筋トラスの両端部に端部材が取り付けられた鉄筋トラス付きデッキプレートを複数連ねて組み立てた床版ユニットを、地上から建築物の床施工階へ搬送して床を施工するのに用いられるものであって、トラバーサーと、トラバーサーを吊り上げるワイヤーと、トラバーサーに吊持される吊り具とを備えている。前記トラバーサーは、同一水平面上に位置させる互いに平行な少なくとも２本の吊枠材と、各吊枠材の長さ方向に沿う複数の決められた位置から垂下させる同一長さの複数本のワイヤーと、各ワイヤーの下端に設けられる連結具とを備えている。前記吊り具は、少なくとも前記床版ユニットの中央線に対して線対称の位置であって前記端部材より内側の位置に配置される少なくとも２個の吊り治具よりなる。各吊り治具は、床版ユニットの幅に対応する長さを有し、前記連結具との連結が可能な連結部と、各鉄筋トラスの鉄筋にそれぞれ係合させる複数個の鉤形の係合片とを備えている。
【００１５】
また、この発明による床版ユニットの吊り具は、鉄筋トラスの両端部に端部材が取り付けられた鉄筋トラス付きデッキプレートを複数連ねて組み立てた床版ユニットを、地上から建築物の床施工階へ搬送して床を施工するのに用いられるものであって、少なくとも２個の吊り治具よりなる。各吊り治具は、前記床版ユニットの幅に対応する長さを有する支持フレームと、前記支持フレームに設けられ吊上げ装置のトラバーサーより垂下させたワイヤーの下端に連結が可能な連結部と、前記支持フレームに下方へ突出するように設けられ前記床板ユニットの各鉄筋トラスの鉄筋にそれぞれ係合させる複数個の鉤形の係合片とを備えてなる。
【００１６】
上記した構成の床版ユニットの吊上げ装置および吊り具により床版ユニットを地上から建築物の床施工階へ搬送する場合、床版ユニットの上方に定位させたトラバーサーの各吊枠材より複数本のワイヤーを垂下させるとともに、少なくとも床版ユニットの中央線に対して線対称の位置であって端部材より内側の位置において吊り具の各吊り治具を係合させる。この場合、各ワイヤーの下端の連結具は各吊り治具の連結部に連結されている。クレーンによりトラバーサーを水平姿勢で吊り上げると、各吊り治具が一斉に引き上げられるが、各吊り治具の係合片が各鉄筋トラスの鉄筋に係合させているので、各吊り治具により床版ユニットが安定して引き上げられる。床施工階において、床版ユニットを梁間に降ろした後、各吊り治具を引き下げ、各係合片と各鉄筋トラスの鉄筋との係合を解くことで、各吊り治具は床版ユニットより外れる。
【００１７】
好ましい実施態様においては、前記吊り治具の支持フレームは、平鋼、Ｌ形鋼、Ｔ形鋼、角型鋼管のいずれかにより形成されているが、これに限られるものではない。
【００１８】
また、好ましい実施態様においては、前記連結部は、前記支持フレームに上方へ突出するように設けられた接続板の板面に貫通孔が設けられたものであるが、これに限らず、例えば、支持フレームに貫通孔を直接形成することにより前記連結部を構成してもよい。
【００１９】
この発明による床版ユニットの吊り具は、前記支持フレームに支持される拘束部材をさらに備えている。前記拘束部材は、いずれかの鉄筋トラスの鉄筋と交差する位置まで突出し前記鉄筋と係合片との係合が外れる方向への支持フレームの移動を止める脚部を備えてなるものである。
【００２０】
この吊り具によると、各吊り治具の係合片を各鉄筋トラスの鉄筋と側方より係合させた後、拘束部材の脚部を鉄筋に交差させると、鉄筋と係合片との係合が外れる方向への支持フレームの移動が阻止されるので、各吊り治具と鉄筋との係合が外れるおそれがなく、床版ユニットは吊り治具により安全かつ安定して支持される。
【００２１】
前記拘束部材として種々の形態が考えられるが、ひとつの実施態様は、前記支持フレームに支持された基端部と、前記基端部より二股状に延びて前記鉄筋を両側より挟んだ状態で鉄筋と交差する２本の脚部を備えたものであり、他のひとつの実施態様は、前記支持フレームに支持される頭部と、前記頭部より真っ直ぐに延びて前記鉄筋と交差する１本の脚部とを備えたものである。
【発明の効果】
【００２２】
この発明によれば、各吊り治具を少なくとも床版ユニットの中央線に対して線対称の位置であって、端部材の内側の位置において鉄筋と確実に係合させるので、床版ユニットを安定して吊り下げることができ、効率良くかつ安全に建築物の床施工階へ床版ユニットを搬送して床を施工できる。
【図面の簡単な説明】
【００２３】
【図１】床版ユニットに対する吊り治具の位置を説明するための平面図である。
【図２】他の実施形態の床版ユニットに対する吊り治具の位置を説明するための平面図である。
【図３】他の実施形態の床版ユニットを示す斜視図である。
【図４】図３の実施形態の床版ユニットに対する吊り治具の位置を説明するための正面図である。
【図５】吊上げ装置の概略構成を示す斜視図である。
【図６】吊り治具の一実施形態を示す正面図である。
【図７】一実施形態の吊り治具の構成と上端筋に係合片および拘束部材を係合させた状態を示す正面図である。
【図８】図７のＡ−Ａ線に沿う断面図である。
【図９】他の実施形態の吊り治具の構成と上端筋に係合片および拘束部材を係合させた状態を示す側面図である。
【図１０】さらに他の実施形態の吊り治具の構成と上端筋に係合片および拘束部材を係合させた状態を示す側面図である。
【図１１】さらに他の実施形態の吊り治具の構成と上端筋に係合片および拘束部材を係合させた状態を示す側面図である。
【図１２】吊上げ装置の構成各部を示す正面図である。
【図１３】他の実施形態の構成と上端筋に係合片および拘束部材を係合させた状態を示す側面図である。
【図１４】図１３のＢ−Ｂ線に沿う断面図である。
【図１５】さらに他の実施形態の構成と上端筋に係合片および拘束部材を係合させた状態を示す側面図である。
【図１６】図１５のＣ−Ｃ線に沿う断面図である。
【図１７】さらに他の実施形態の構成と上端筋に係合片および拘束部材を係合させた状態を示す側面図である。
【図１８】さらに他の実施形態の構成と上端筋に係合片および拘束部材を係合させた状態を示す側面図である。
【図１９】図１８のＤ−Ｄ線に沿う断面図である。
【図２０】係合片の製造方法の一例を示す斜視図である。
【図２１】段積みされた状態の床版ユニットを示す側面図である。
【図２２】鉄筋トラス付きデッキプレートの正面図である。
【図２３】鉄筋トラスの端部材の近傍の構成を示す側面図である。
【発明を実施するための形態】
【００２４】
図１は、地上の作業場において複数の鉄筋トラス付きデッキプレート１を連ねて組み立てられた床版ユニット３を平面視した図である。この床版ユニット３は地上から建築物の床施工階へ搬送されて床が施工される。なお、図１において、一点鎖線は床施工階における梁を示している。
床版ユニット３を後述する吊上げ装置４により吊り上げるのに、床版ユニット３の中央線ｃに対して線対称の位置、すなわち、中央線ｃから等距離Ａの位置であって、デッキプレート１の前記した端部材１６の位置Ｐより内側の位置に、大組工法専用の吊り具５の吊り治具５０ａ，５０ｂをそれぞれ位置させる。床版ユニット３は各吊り治具５０ａ，５０ｂにより引っ掛けられて支持され、吊り上げられる。  
【００２５】
図２は、図１の実施例で用いられたデッキプレート１より全長が長いデッキプレート１を用いて組み立てられた床版ユニット３を平面視した図である。図２の床版ユニット３を吊り上げるには、床版ユニット３の中央線ｃ上に吊り治具５０ｃを位置させるとともに、中央線ｃに対して線対称の位置、すなわち、中央線ｃから等距離Ｂの位置であってデッキプレート１の端部材１６の位置Ｐより内側の位置に、吊り具５の吊り治具５０ａ，５０ｂをそれぞれ位置させる。床版ユニット３は各吊り治具５０ａ，５０ｂ，５０ｃにより引っ掛けられて支持され、吊り上げられる。なお、図２において、一点鎖線は床施工階における梁を示している。
【００２６】
図３および図４は、複数個のデッキプレート１を連ねて組み立てられた一対の構造体３０，３０間を小梁３１を力骨として固着させた床版ユニット３を示している。なお、同図においては、デッキプレート１の鉄筋トラス１１は図示を省略している。この床版ユニット３を吊り上げるには、小梁３１の位置を中央線ｃとみなし、この中央線ｃに対して線対称の位置、すなわち、小梁３１の位置から等距離Ｄの位置であってデッキプレート１の端部材１６の位置Ｐより内側の位置に大組工法専用の吊り具５の吊り治具５０ａ，５０ｂをそれぞれ位置させ、望ましくは小梁３１の位置に小梁吊上げ用の吊り治具（図示せず）を位置させる。床版ユニット３は大組工法専用の各吊り治具５０ａ，５０ｂおよび小梁吊上げ用の吊り具により引っ掛けられて支持され、吊り上げられる。なお、図３は、床施工階に施工された床版ユニット３を示し、図中、２は床施工階における大梁である。また、図４は、地上において組み立てられた床版ユニット３を示し、図中、２０は地上の作業場に設置された地組用の仮設架台である。
【００２７】
床版ユニット３を地上から建築物の床施工階へ搬送して床を施工するには、まず、地上の作業場において、鉄筋トラス付きデッキプレート１を複数連ねて床版ユニット３を組み立てる。次に、組み立てられた床版ユニット３を作業員が地上に立って作業ができる高さの範囲で必要に応じて段積みし、最上位置の床版ユニット３の所定の位置に吊り具５の吊り治具５０ａ，５０ｂをそれぞれ位置させ、後述する複数個の鉤形の係合片６（図６に示す）を各鉄筋トラス１１の上端筋１３に側方より係合させる。次に、図５に示す吊上げ装置４のトラバーサー４０により吊り具５の各吊り治具５０ａ，５０ｂを同一高さに吊り上げて床版ユニット３を水平姿勢で建築物の床施工階へ搬送し、床版ユニット３を床施工階に降ろして梁間に設置する。その後、前記の各係合片６と各鉄筋トラス１１の上端筋１３との係合を解くことにより各吊り治具５０ａ，５０ｂを床版ユニット３より外す。
【００２８】
なお、床版ユニット３の具体的な構成は、図２１および図２２に示したものと同じであり、ここでは説明を省略する。また、図１および図２に示した床版ユニット３は、基板１０上に３個の鉄筋トラス１１が並設されたデッキプレート１を複数個連結したものであるが、鉄筋トラス１１の並設個数やデッキプレート１の連結個数はなんら限定されるものではない。
【００２９】
図５に示す吊上げ装置４は、複数本の玉掛けワイヤー４１を垂下させたトラバーサー４０を含む。各玉掛けワイヤー４１の下端には連結具４２としてのフックが取り付けられている。連結具４２は吊り具５の吊り治具５０ａ，５０ｂに連結される。吊り治具５０ａ，５０ｂの各係合片６は床版ユニット３の各鉄筋トラス１１の上端筋１３に引っ掛けられる。
【００３０】
トラバーサー４０は、床版ユニット３の外形にほぼ一致する形状の矩形状を呈しており、床版ユニット３の幅に対応する長さの２本の平行な吊枠材４３ａ，４３ｂと、吊枠材４３ａ，４３ｂの両端間を床版ユニット３の長さに対応する距離を隔てて連結する２本の連結枠材４４と、中間の複数箇所に設けられる連結枠材４５とを含んでいる。各吊枠材４３ａ，４３ｂには、クレーン（図示せず）より吊り下げられた複数本のワイヤーロープ４６の下端部が繋がれる。
【００３１】
吊り具５を構成する各吊り治具５０ａ，５０ｂは、図６に示される吊り治具５０をそれぞれ３個づつ直線状に連ねたものである。なお、各吊り治具５０ａ，５０ｂは１個の吊り治具５０をもって構成されたものであってもよく、２個或いは４個以上の吊り治具５０を連ねて構成されたものであってもよい。吊り治具５０は、十分に長い支持フレーム５１を有している。この実施例の支持フレーム５１は２本の平鋼（フラットバー）を用いて形成されているが、撓みに対する強度を高めるために、後述する実施例のように、Ｌ形鋼を用いて形成してもよく、さらに、Ｔ形鋼を用いて形成してもよい。支持フレーム５１には下方に突出するように複数個の鉤形の係合片６が所定の間隔で設けられている。なお、３個の吊り治具５０は、端面を突き合わせるようにして一直線に連ねられるが、端面間を連結する必要はない。吊り治具５０が３個連ねられた長さは、床版ユニット３の幅とほぼ一致する。
【００３２】
各吊り治具５０ａ，５０ｂの支持フレーム５１は、図７および図８に示されるように、水平板部５２の上面中央に垂直板部５３が接合されたものである。水平板部５２および垂直板部５３は平鋼により形成されている。垂直板部５３の上端面には上方へ突出する接続板５４が溶接により複数個取り付けられている。各接続板５４の板面には円形の貫通孔５５が形成されている。この貫通孔５５を備える接続板５４は、トラバーサー４０の玉掛けワイヤー４１の下端の連結具４２を連結することが可能な連結部５６を構成する。なお、連結部５６はこの実施形態のものに限られず、例えば、垂直板部５３に貫通孔を直接形成したものであってもよい。
【００３３】
支持フレーム５１の水平板部５２の下面には、複数個の鉤形の係合片６が下方へ突出するように溶接により取り付けられている。各係合片６の取付間隔は鉄筋トラス１１の間隔と一致する。各係合片６は、板状体であって、鋼板をガス溶断などの切断加工などにより切断して形成されており、幅（横幅）の大きな垂直部６１と小さな幅（縦幅）の水平部６２とを一連に備えている。水平部６２の幅は上端筋１３と下端筋１４との間隔の半分以下に設定されている。支持フレーム５１の水平板部５２の下面と係合片６の水平部６２との間には鉄筋トラス１１の上端筋１３が入り込んで係合する係合溝６３を形成される。
【００３４】
なお、この実施例の係合片６は、水平部６２が垂直部６１と直角をなすＬ字形態のものであるが、水平部６２は垂直部６１に対する角度が９０度より小さな角度であってもよく、湾曲するＪ字形態であってもよい。また、係合片６は必ずしも全ての鉄筋トラス１１の上端筋１３に対応させて設ける必要はない。例えば、デッキプレート１の両側位置の鉄筋トラス１１の上端筋１３に対応させて設けるなどの設計変更も可能である。
【００３５】
支持フレーム５１の垂直板部５３には、係合片６が設けられている各位置に、取付孔５８を有する取付板５７が縦向きに取り付けられている。各取付板５７には拘束部材７が起伏自在に取り付けられる。図示例の拘束部材７は棒鋼を曲げて形成されたものであり、取付板５７の取付孔５８に挿通することにより支持されている。拘束部材７は必ずしも全ての係合片６の位置に設ける必要はなく、例えば図６に示されるように、１個の吊り治具５０につき両端部の２箇所と中間部の複数箇所設けられる。図示例の拘束部材７はＵ字形状をなしており、取付板５７の取付孔５８に起伏自由に支持される基端部７１と、基端部７１の両端より二股状に延びる２本の脚部７０，７０とを一体に備えている。基端部７１は脚部７０に対してほぼ直角に曲げられている。
【００３６】
拘束部材７が図中、一点鎖線で示す状態から９０度倒れて２本の脚部７０が垂下した状態になったとき、各脚部７０は鉄筋トラス１１の上端筋１３を挟んだ状態で上端筋１３と交差し、拘束部材７は上端筋１３と係合した状態となる。拘束部材７が上端筋１３を拘束することにより、上端筋１３と係合片６との係合が外れる方向へ支持フレーム５１が移動するのが阻止される。
【００３７】
この実施形態では、１個の吊り治具５０につき７個の拘束部材７を設けているが（図６参照）、全ての拘束部材７を連動させて脚部７０を一斉に上下動下させることが可能なように、全ての拘束部材７を鋼棒よりなる連結部材７２により連結している。なお、拘束部材７は、支持フレーム５１の移動を規制できる構成のものであれば、上記の実施形態に限定されるものではない。その他の実施形態については後述する。
【００３８】
支持フレーム５１の強度を一層高めるために、図９および図１０に示すように、Ｌ形鋼を用いて支持フレーム５１を形成してもよい。各係合片６は、図９に示す実施例ではＬ形鋼の水平板部５２の下面に、図１０に示す実施例ではＬ形鋼の垂直板部５３の側面に、それぞれ溶接により取り付けられている。なお、図１０に示す実施例では、各係合片６は水平部６２（図８参照）が水平な姿勢となるように垂直板部５３の側面に溶着されているが、例えば、水平部６２が斜め上方を向く姿勢となるように係合片６を傾けて取り付けてもよい。また、支持フレーム５１は、平鋼、Ｌ形鋼、Ｔ形鋼に代えて、図１１に示すように、角形の鋼管を用いて形成してもよい。
なお、図９〜図１１の各実施例において、その他の構成は図７および図８に示した実施例と同様であり、ここでは対応する構成に同じ符号を付することで説明を省略する。
【００３９】
図５で示した吊上げ装置４の構成を図５および図１２に基づいてさらに詳しく説明すると、吊上げ装置４は、トラバーサー４０を吊り上げるための少なくとも４本のワイヤーロープ４６を含んでいる。４本のワイヤーロープ４６は、上端が１個のシンブル８に束ねられ、一方、それぞれの下端には個別にシンブル８０が設けられている。上端のシンブル８は吊り輪８１を介してクレーンより垂らされたワイヤーロープ（図示せず）の下端に連結される。２本のワイヤーロープ４６の下端はシンブル８０およびシャックル８２を介してトラバーサー４０の一方の吊枠材４３ａの接続部４７に接続される。他の２本のワイヤーロープ４６の下端はシンブル８０およびシャックル８２を介してトラバーサー４０の他方の吊枠材４３ｂの接続部４７に接続される。
【００４０】
トラバーサー４０は、同一水平面上に位置させる互いに平行な一対の吊枠材４３ａ，４３ｂを備え、各吊枠材４３ａ，４３ｂの長さ方向に沿う複数の決められた位置より同一長さの玉掛けワイヤー４１を垂下させている。各玉掛けワイヤー４１は、上下各端にシンブル８３，８４を備え、一方の側の各玉掛けワイヤー４１の上端はシンブル８３およびシャックル８５を介して一方の吊枠材４３ａの接続部４８に、他方の側の各玉掛けワイヤー４１の上端はシンブル８３およびシャックル８５を介して他方の吊枠材４３ｂの接続部４８に、それぞれ接続されている。
【００４１】
各玉掛けワイヤー４１の下端のシンブル８４には連結具４２としてのフックが取り付けられている。各フックは各吊り治具５０ａ，５０ｂの各接続板５４の貫通孔５５に引っ掛けられることにより、吊り具５を介して床版ユニット３を水平姿勢のまま吊持することができ、建築物の床施工階へ床版ユニット３を搬送できる。
【００４２】
図１３〜図１９は、吊り具５を構成する拘束部材７の他の実施形態を示す。図１３および図１４に示す拘束部材７は、ボルトのような形態をなすものであり、Ｌ形鋼よりなる支持フレーム５１の水平板部５２に形成された支持孔５２ａに支持される頭部７３と、頭部７３より真っ直ぐに下方へ延びて鉄筋トラス１１の上端筋１３と交差する１本の脚部７４とを備えたものである。脚部７４が上端筋１３と交差して拘束部材７が上端筋１３を拘束することにより、上端筋１３と係合片６との係合が外れる方向へ支持フレーム５１が移動するのが阻止される。なお、図中、７５は頭部７３と支持フレーム５１とを繋ぐ線材であり、拘束部材７の紛失を防止するためのものである。
【００４３】
図１５および図１６に示す実施例は、平鋼よりなる支持フレーム５１の水平板部５２に支持板５９を取り付け、支持板５９に形成された支持孔５９ａに拘束部材７の頭部７３を支持したものである。なお、その他の構成は図１３および図１４の実施例と同様である。また、上記の２つの実施例において、係合片６などの構成は図７および図８に示した実施例と同様であり、ここでは対応する構成に同じ符号を付することで説明を省略する。なお、支持フレーム５１は、平鋼やＬ形鋼に代えて、図１７に示すように、角形の鋼棒を用いて形成することもできる。
【００４４】
図１８および図１９に示す実施例は、支持フレーム５１の水平板部５２に支持板５９を取り付け、支持板５９に設けた支持孔５９ａに拘束部材７の基端部７１を支持している。図示の拘束部材７は、基端部７１が前記した連結部材７２を兼ねており、支持フレーム５１の全長にわたっている。基端部７１はＬ形鋼をもって形成されている。基端部７１より所定の間隔毎に対をなす２本の脚部７０が二股状に延びており、各鉄筋トラス１１の上端筋１３を両側より挟んだ状態で上端筋１３と交差している。２本の脚部７０が上端筋１３と交差して拘束部材７が上端筋１３を拘束することにより、上端筋１３と係合片６との係合が外れる方向へ支持フレーム５１が移動するのが阻止される。
【００４５】
なお、上記の各実施例では、吊り治具５０ａ，５０ｂの係合片６として、鋼板を溶断加工などによりＬ字形状、Ｊ字形状、レ字形状などに切断したものを用いているが、これに限らず、例えば図２０に示すように、切断装置６６によりＬ形鋼６５を長さ方向と直交する方向に一定幅に切断したものを用いることもできる。この実施態様によれば、屈曲部分６４の内面がアール状を呈し厚肉状であるので、屈曲部分６４の強度が高められる。
【００４６】
鉄骨造の建築物の床を施工する場合、施工すべき建築物の仮組立を完了した後、組立作業場に積み重ねられた床版ユニット３を最上位置のものから順々に吊上げ装置４により吊り上げて建築物の床施工階へ搬送し、図１〜図３に示すように、施工すべき床の位置に床版ユニット３を位置決めする。各鉄筋トラス１１の両端の端部材１６は、その下端部が外向きに屈曲されており、この屈曲部が大梁鉄骨や小梁鉄骨上に支持されることにより、建築物の相対する梁間のスペース上に床版ユニット３が位置決め固定される。
【００４７】
吊上げ装置４により床版ユニット３を地上の作業場から建築物の床施工階へ搬送する場合、床版ユニット３の上方にトラバーサー４０を定位させ、各吊枠材４３ａ，４３ｂより複数本の玉掛けワイヤー４１を垂下させる。図１に示す床版ユニット３では、中央線ｃに対して線対称の位置であって端部材１６の位置Ｐより内側の位置に吊り具５を構成する吊り治具５０ａ，５０ｂを沿わせるように位置させ、各鉄筋トラス１１の上端筋１３と接触しない箇所で各吊り治具５０ａ，５０ｂの鉤形の係合片６を上方より降下させて側方より上端筋１３に係合させた後、各拘束部材７を上端筋１３に上方より係合させる。
【００４８】
つぎに、各玉掛けワイヤー４１の下端の連結具（フック）４２を各吊り治具５０ａ，５０ｂの各連結部５６、すなわち、接続板５４の貫通孔５５に引っ掛けた後、クレーンによりトラバーサー４０を水平姿勢のまま吊り上げ、各吊り治具５０ａ，５０ｂを同一高さに吊り上げる。これにより、平面的な床版ユニット３の形状を変化させることがなく、床版ユニット３を地上から建築物の床施工階へ搬送することができる。
【００４９】
床施工階において、床版ユニット３を梁間のスペース上に降ろした後、各吊り治具５０ａ，５０ｂを引き下げ、各拘束部材７と鉄筋トラス１１の各上端筋１３との係合および各係合片６と各上端筋１３との係合を解くことで、各吊り治具５０ａ，５０ｂを床版ユニット３より外すことができる。
【００５０】
上記した床施工方法によると、床版ユニット３の中央線ｃに対して線対称の位置であって端部材１６の位置Ｐより内側の位置において各鉄筋トラス１１の上端筋１３に各吊り治具５０ａ，５０ｂの各係合片６を側方より係合し、また拘束部材７を上方より係合することにより、各吊り治具５０ａ，５０ｂを容易かつ安定した状態で吊り上げることができ、床版ユニット３を地上から建築物の床施工階へ安全に搬送できる。また、床施工階において各吊り治具５０ａ，５０ｂを引き下げ、各係合片６および各拘束部材７を各鉄筋トラス１１の上端筋１３との係合を解くことにより、各吊り治具５０ａ，５０ｂを床版ユニット３より容易に外すことができる。このように、吊り具５として少なくとも２個の吊り治具５０ａ，５０ｂを用いることで床版ユニット３の搬送および設置が効率良く行える。
【符号の説明】
【００５１】
１    鉄筋トラス付きデッキプレート
３    床版ユニット
４    吊上げ装置
５    吊り具
６    係合片
７    拘束部材
１０  基板
１１  トラス
１３  上端筋
１４  下端筋
１５  ラチス筋
１６  端部材
４０  トラバーサー
４１  玉掛けワイヤー
４２  連結具
４３ａ，４３ｂ  吊枠材
５０，５０ａ，５０ｂ，５０ｃ  吊り治具
５１  支持フレーム
５６  連結部
７０  脚部
７１  基端部
７３  頭部
７４  脚部
【図１】
2018178526.tif 000003
【図２】
2018178526.tif 000004
【図３】
2018178526.tif 000005
【図４】
2018178526.tif 000006
【図５】
2018178526.tif 000007
【図６】
2018178526.tif 000008
【図７】
2018178526.tif 000009
【図８】
2018178526.tif 000010
【図９】
2018178526.tif 000011
【図１０】
2018178526.tif 000012
【図１１】
2018178526.tif 000013
【図１２】
2018178526.tif 000014
【図１３】
2018178526.tif 000015
【図１４】
2018178526.tif 000016
【図１５】
2018178526.tif 000017
【図１６】
2018178526.tif 000018
【図１７】
2018178526.tif 000019
【図１８】
2018178526.tif 000020
【図１９】
2018178526.tif 000021
【図２０】
2018178526.tif 000022
【図２１】
2018178526.tif 000023
【図２２】
2018178526.tif 000024
【図２３】
2018178526.tif 000025
【手続補正書】
【提出日】平成29年7月27日(2017.7.27)
【手続補正１】
【補正対象書類名】特許請求の範囲
【補正対象項目名】請求項３
【補正方法】変更
【補正の内容】
【請求項３】
鉄筋トラスの両端部に端部材が取り付けられた鉄筋トラス付きデッキプレートを複数連ねて組み立てた床版ユニットを、地上から建築物の床施工階へ搬送して床を施工するのに用いられる吊上げ装置であって、
トラバーサーと、トラバーサーを吊り上げるワイヤーと、トラバーサーに吊持される吊り具とを備え、前記トラバーサーは、同一水平面上に位置させる互いに平行な少なくとも２本の吊枠材と、各吊枠材の長さ方向に沿う複数の決められた位置から垂下させる同一長さの複数本のワイヤーと、各ワイヤーの下端に設けられる連結具とを備え、
前記吊り具は、少なくとも前記床版ユニットの中央線に対して線対称の位置であって前記端部材より内側の位置に配置される少なくとも２個の吊り治具よりなり、各吊り治具は、前記床版ユニットの幅に対応する長さを有する支持フレームと、前記支持フレームに設けられ前記トラバーサーの連結具との連結が可能な連結部と、前記支持フレームに下方へ突出するように設けられ前記床版ユニットの各鉄筋トラスの鉄筋にそれぞれ係合させる複数個の鉤形の係合片とを備えている床版ユニットの吊上げ装置。
【手続補正２】
【補正対象書類名】明細書
【補正対象項目名】００１４
【補正方法】変更
【補正の内容】
【００１４】
この発明による床版ユニットの吊上げ装置は、鉄筋トラスの両端部に端部材が取り付けられた鉄筋トラス付きデッキプレートを複数連ねて組み立てた床版ユニットを、地上から建築物の床施工階へ搬送して床を施工するのに用いられるものであって、トラバーサーと、トラバーサーを吊り上げるワイヤーと、トラバーサーに吊持される吊り具とを備え、前記トラバーサーは、同一水平面上に位置させる互いに平行な少なくとも２本の吊枠材と、各吊枠材の長さ方向に沿う複数の決められた位置から垂下させる同一長さの複数本のワイヤーと、各ワイヤーの下端に設けられる連結具とを備えている。前記吊り具は、少なくとも前記床版ユニットの中央線に対して線対称の位置であって前記端部材より内側の位置に配置される少なくとも２個の吊り治具よりなる。各吊り治具は、前記床版ユニットの幅に対応する長さを有する支持フレームと、前記支持フレームに設けられ前記トラバーサーの連結具との連結が可能な連結部と、前記支持フレームに下方へ突出するように設けられ前記床版ユニットの各鉄筋トラスの鉄筋にそれぞれ係合させる複数個の鉤形の係合片とを備えている。